(57)【要約】  ライセンスプレート（２）を保持するためのプレートホルダ（１）は、第１側面に接触面（１００）を備えたホルダベース（１０）を具備し、接触面は接触レベル（Ａ）に沿って延び、接触面上には前記ライセンスプレート（２）がプレートホルダ（１）に配置された所定の位置に載置される。２つのガイドレール（１１、１２）はホルダベース（１０）に配置され且つ互いに平行に延びており、これらのレールの間を、ライセンスプレート（２）は挿入方向（Ｅ）にスライドされて、接触面（１００）上に配置されることが可能であり、ライセンスプレート（２）は、プレートホルダ（１）に配置された所定の位置に、ガイドレール（１１、１２）の間で保持される。ホルダベース（１０）は、接触面（１００）から離れる方向に向いた第２側において、接触レベル（Ａ）に平行に延び且つ接触レベル（Ａ）に対して垂直を示した垂直方向（Ｚ）に沿って接触面（１００）から離間された載置面（１０２）を備え、載置面は、対象物（３）にプレートホルダ（１）を取り付けるために、対象物（３）上に載置されることが可能であり、ホルダベース（１０）は、第２側から第１側へとテーパ形状となっている。本発明は対象物、特に金属対象物に適切に配置され、接触面と金属対象物との間を十分に離間し、且つ例えば衣服がプレートホルダに引っ掛かる小さな危険性もないことを可能にしたプレートホルダを提供している。
2018512320.tif 000002
【特許請求の範囲】
【請求項１】
ライセンスプレート（２）を保持するためのプレートホルダ（１）であって、
第１側面に接触面（１００）を備えたホルダベース（１０）であって、前記接触面は接触レベル（Ａ）に沿って延び、前記接触面上には前記ライセンスプレート（２）が前記プレートホルダ（１）に配置された位置に載置される、ホルダベース（１０）と、
該ホルダベース（１０）に配置され且つ互いに平行に延びた２つのガイドレール（１１、１２）であって、該ガイドレールの間を、前記ライセンスプレート（２）は挿入方向（Ｅ）にスライドされて、前記接触面（１００）上に配置されることが可能であり、前記ライセンスプレート（２）は、前記プレートホルダ（１）に配置された位置に、前記ガイドレール（１１、１２）の間で保持される、２つのガイドレール（１１、１２）と、
を具備したプレートホルダにおいて、
前記ホルダベース（１０）は、前記接触面（１００）から離れる方向に向いた第２側において、前記接触レベル（Ａ）に平行に延び且つ該接触レベル（Ａ）に対して垂直を示した垂直方向（Ｚ）に前記接触面（１００）から離間された載置面（１０２）を備え、該載置面は、対象物（３）に前記プレートホルダ（１）を取り付けるために、前記対象物（３）上に載置されることが可能であり、前記ホルダベース（１０）は、前記第２側から第１側へとテーパ形状となっていることを特徴とするプレートホルダ（１）。
【請求項２】
前記ホルダベース（１０）は前記第２側において、前記挿入方向（Ｅ）に沿って測定された、前記第１側よりも大きい長さ（Ｌ）、および／または前記挿入方向（Ｅ）に対して横方向に測定された、前記第１側よりも大きい幅（Ｂ）を有することを特徴とする請求項１に記載のプレートホルダ（１）。
【請求項３】
前記ホルダベース（１０）は、前記第１側および前記第２側を互いに連結し且つ前記接触レベル（Ａ）に対して傾斜して配置された少なくとも１つの側面（１０４〜１０７）を備えていることを特徴とする請求項１または２に記載のプレートホルダ（１）。
【請求項４】
前記ホルダベース（１０）は、
前記挿入方向（Ｅ）および前記垂直方向（Ｚ）により定義された第１断面（Ｑ１）に沿った、ならびに／または
前記垂直方向（Ｚ）、ならびに前記挿入方向（Ｅ）に対しておよび前記垂直方向（Ｚ）に対して横向きに位置した横方向（Ｑ）により定義された第２断面（Ｑ２）に沿った、断面において、
等脚台形の形状を有することを特徴とする請求項１〜３のいずれか一項に記載のプレートホルダ（１）。
【請求項５】
前記載置面（１０２）は、前記対象物（３）に前記プレートホルダ（１）を固定するための、少なくとも１つの固定部位（１０３）を備え、前記接触面（１００）は少なくとも１つの開口部（１０８）を備え、該開口部を通じて、前記載置面（１０２）の前記少なくとも１つの固定部位（１０３）にアクセス可能であることを特徴とする請求項１〜４のいずれか一項に記載のプレートホルダ（１）。
【請求項６】
前記載置面（１０２）は、前記対象物（３）に前記プレートホルダを固定するために、除去可能な保護フィルムを具備した接着層を備え、前記保護フィルムは、前記接着層を前記対象物（３）と接触させて接着状態とするために除去されることが可能であることを特徴とする請求項１〜５のいずれか一項に記載のプレートホルダ（１）。
【請求項７】
少なくとも１つの弾性ラッチ要素（１３、１４）が前記ホルダベース（１０）に配置され、前記ライセンスプレート（２）が前記プレートホルダ（１）に配置された場合に、前記弾性ラッチ要素は弾性変形可能であり、前記プレートホルダ（１）に配置された位置において、前記挿入方向（Ｅ）における移動に対して前記ライセンスプレート（２）を前記ホルダベース（１０）上に固定することを特徴とする請求項１〜６のいずれか一項に記載のプレートホルダ（１）。
【請求項８】
２つのラッチ要素（１３、１４）は、前記挿入方向（Ｅ）において互いからオフセットされて、前記ホルダベース（１０）に配置されていることを特徴とする請求項７に記載のプレートホルダ（１）。
【請求項９】
前記２つのラッチ要素（１３、１４）は、前記プレートホルダ（１）に配置された位置において、前記２つのラッチ要素の間に前記ライセンスプレート（２）を受け入れることを特徴とする請求項８に記載のプレートホルダ（１）。
【請求項１０】
前記少なくとも１つのラッチ要素（１３、１４）は、ウェブ（１３０）を用いて前記ホルダベース（１０）の接触面（１００）に連結されていることを特徴とする請求項７〜９のいずれか一項に記載のプレートホルダ（１）。
【請求項１１】
前記少なくとも１つのラッチ要素（１３、１４）はラッチ突起（１３１、１４１）を備え、該ラッチ突起は前記接触レベル（Ａ）に対して横方向に前記接触面（１００）から突出し、且つ前記プレートホルダ（１）に配置されたライセンスプレート（２）の位置において前記ライセンスプレート（２）の端縁（２３、２４）と接触するように設計されていることを特徴とする請求項７〜１０のいずれか一項に記載のプレートホルダ（１）。
【請求項１２】
前記少なくとも１つのラッチ要素（１３、１４）は隆起部（１３３、１４３）を備え、該隆起部は前記接触面から突出し、且つ前記プレートホルダ（１）に配置されたライセンスプレート（２）の位置において、前記接触面（１００）に面した前記ライセンスプレート（２）の下側と接触するように設計されていることを特徴とする請求項７〜１１のいずれか一項に記載のプレートホルダ（１）。
【請求項１３】
前記少なくとも１つのラッチ要素（１３、１４）は、前記ライセンスプレート（２）を前記ホルダベース（１０）に固定するための固定部位（１３２、１４２）を備えていることを特徴とする請求項７〜１２のいずれか一項に記載のプレートホルダ（１）。
【請求項１４】
前記載置面（１０２）は少なくとも１つの開口部（１０９）を備え、該開口部を通じて、前記接触面（１００）の前記少なくとも１つのラッチ要素（１３、１４）がアクセス可能であることを特徴とする請求項７〜１３のいずれか一項に記載のプレートホルダ（１）。
【請求項１５】
請求項１〜１４のいずれか一項に記載のプレートホルダ（１）、および無線周波数応答装置（２６）が設けられたライセンスプレート（２）、を含んだアセンブリ。
【発明の詳細な説明】
【技術分野】
【０００１】
本発明は、請求項１の前段によるライセンスプレートを保持するためのプレートホルダに関する。
【背景技術】
【０００２】
このタイプのプレートホルダは、接触レベルに沿って広がった接触面を備えたホルダベースを第１側に具備している。ライセンスプレートは、プレートホルダに載置される場合、接触面上に置かれる。ホルダベース上には互いに平行に延びた２つのガイドレールが設けられ、それらの間において、ライセンスプレートは処理のために接触面上を挿入方向にスライドされることが可能である。プレートホルダの処理位置において、ガイドレールはライセンスプレートをホルダベース上に保持している。
【０００３】
今日では、ライセンスプレートは例えば無線周波数応答装置（「ＲＦＩＤタグ」とも称される）を備え、この装置は適切な読み取り機により、誘導結合によって読み出し可能であり、（例えば所謂「近距離通信」、略して「ＮＦＣ」を使用して）読み取り機とデータをやりとりするように構成されている。ライセンスプレートが、例えば工業設備の金属ハウジング、スイッチキャビネット、またはそれらと同様の金属対象物上で、プレートホルダを通じて処理される場合、無線周波数応答装置が金属対象物に過度に接近して置かれた場合には、金属対象物はこのタイプの無線周波数応答装置の通信特性を損ない得る。
【０００４】
したがって、金属対象物上において無線周波数応答装置を備えたライセンスプレートの載置のために使用されるこのタイプのプレートホルダにおいては、接触面と金属対象物との間を十分な空間だけ離す必要があり、これは無線周波数応答装置の通信特性への悪影響を可能な限り減少させるためである。
【０００５】
しかしながら、プレートホルダが、取り付けられた対象物からあまりにも遠く離れていた場合、例えば使用者の衣服がプレートホルダに引っ掛かるか、または使用者がプレートホルダに対して衝突して、場合によってはけがをする危険性があり、したがって安全な作業環境の目的のためにも回避されるべきである。
【０００６】
ライセンスプレートのためのプレートホルダは特許文献１から知られており、この文献では、プレートは接触面上のガイドレールの間に配置され得る。特許文献１のプレートホルダは、ライン上にライセンスプレートを配置するように設計されている。
【０００７】
特許文献２から知られたプレートホルダにおいては、ライセンスプレートは、リベット結合を用いてベース本体２上に配置されている。電子的に読み出される無線周波数応答装置は、ライセンスプレートに配置されている。
【先行技術文献】
【特許文献】
【０００８】
【特許文献１】独国特許出願公開第１９７  ４３  ４０５号明細書
【特許文献２】独国実用新案第２０  ２０１１  ０００  ５６９号明細書
【発明の概要】
【発明が解決しようとする課題】
【０００９】
本発明の目的は、特に金属対象物である対象物に有利に配置され得るプレートホルダを提供することであり、そのプレートホルダは、処理中に例えば衣服がプレートホルダに引っかかるリスクを低減しているにもかかわらず、接触面と金属対象物との間に十分な空間を残している。
【課題を解決するための手段】
【００１０】
この目的は、請求項１の特徴を備えた主体により達成されている。
【００１１】
したがって、ホルダベースは、接触面から離れる方向に向いた第２側において、接触レベルに平行に延び且つ接触レベルに対して垂直に向いた垂直方向に接触面から離間された載置面を備え、載置面は、対象物にプレートホルダを取り付けるために、対象物上に載置されることが可能であり、ホルダベースは、第２側から第１側へとテーパ形状となっている。
【００１２】
載置面を用いることにより、プレートホルダを関連した対象物上に平坦に好適に接触させる可能性が提供されている。載置面を用いることにより、ホルダベースは、例えば対象物に対してねじ留めもしくは接着されることが可能であるか、または他の方法により対象物に固定可能である。
【００１３】
載置面は接触面から離間されており、これによりライセンスプレートは接触面上に保持されて、載置面から、したがってプレートホルダが配置される対象物から十分な空間だけ離されることが可能である。
【００１４】
ホルダベースは、ここでは第２側から第１側へとテーパとなるような形状を有する。したがって、ホルダベースは、載置面が形成された第２側から接触面が形成された第１側へとテーパとなるよう延びており、結果的に、例えば衣服がプレートホルダに引っかかる危険性を低減している。
【００１５】
特に、ホルダベースは第２側において、挿入方向に沿って測定した場合に第１側よりも大きい長さ、および／または挿入方向に対して横方向に測定した場合に第１側よりも大きい幅を有する。したがって、ホルダベースの第１側の寸法は、第２側の寸法よりも小さい。
【００１６】
ホルダベースは、好適に１つ以上の周方向側面を備えている。側面は第１側および第２側を互いに連結し、且つ接触レベルに対して有利に傾斜して配置されており、これによりホルダベースは第１側に向かって、換言すると接触面に向かってテーパ状となっている。
【００１７】
例えば、ホルダベースは円錐台形状を有し得る。この場合、ホルダベースは、円錐台の外側面に対応した周方向側面を備えている。この場合、ホルダベースは第１側に向かって円錐状に延びている。
【００１８】
代替的に、ホルダベースは例えば細長い長方形または正方形のベース面も有し得る。この場合、ホルダベースは４つの側面を備え、各側面は接触面に対して傾斜して配置されて、角錐台を形成する。
【００１９】
１つ以上の側面はホルダベースを周方向に取り囲み、開口部、アンダーカット、突起、または類似のものを有利に有さず、これにより衣服または他の突起がプレートホルダに引っ掛かることが防止されており、例えば衣服はプレートホルダを容易に滑り抜けることが可能である。
【００２０】
特別な実施形態においては、ホルダベースはその第１側に、少なくとも略長方形のベース面を備え得る。この場合、ホルダベースは、挿入方向および垂直方向により定義された第１断面に沿った、ならびに／または垂直方向および挿入方向に対しておよび垂直方向に対して横向きに向いた横方向により定義された第２断面に沿った、断面において等脚台形の形状を有し得る。したがって、第１断面に沿った断面ならびに／または第２断面に沿った断面において、ホルダベースは、等しい長さの側部を有する台形形状を有し、側部はホルダベースの対向した側面により形成されており、台形の（平行な）ベース側部は、ホルダベースの第１側及び第２側により形成されている。
【００２１】
有利な実施形態においては、載置面は、対象物にプレートホルダを固定するための、少なくとも１つの固定部位を備えている。例えば、固定部位は取り付けネジまたは連結リベットとして設計され、これにより載置面を用いて、プレートホルダはネジまたはリベットにより対象物に固定され得る。
【００２２】
固定部位へのアクセスを可能にするために、ここでは少なくとも１つの開口部が、載置面に平行に広がった接触レベルに沿って広がった接触面に設けられてもよく、この開口部を利用して、プレートホルダを対象物に固定するために、例えば工具が載置面の固定部位に配置され得る。
【００２３】
追加的にまたは代替的に、載置面は、除去可能な保護フィルムを含んだ接着層を備えていてもよい。保護フィルムは、初期状態においては接着層を覆っており、これによりプレートホルダは、例えば被覆された接着層を備えたプレートホルダを使用者に提供してもよい。プレートホルダを対象物に固定するために、保護フィルムは除去され、これにより接着層と一体となった載置面は、接着層を対象物と接触するように貼り付けるために、対象物に対して押し付けられ得る。
【００２４】
有利な実施形態においては、プレートホルダは少なくとも１つの弾性ラッチ要素を備え、この要素はホルダベースに配置されて、ライセンスプレートがプレートホルダに配置された場合に弾性変形可能であり、プレートホルダに配置された位置において、挿入方向における移動に対抗してライセンスプレートをホルダベース上に固定する。弾性ラッチ要素を設けることにより、随意的に本来剛的なライセンスプレートの、プレートホルダ上への容易な載置、および工具を使用しないライセンスプレートのプレートホルダからの解放が可能となる。ライセンスプレートをプレートホルダ上に載置するために、ライセンスプレートは２つのガイドレールの間をスライドさせられる。これにより、ライセンスプレートは少なくとも１つのラッチ要素上へと移動し、ラッチ要素を弾性的に押しのけて、したがってライセンスプレートはラッチ要素を越えてプレートホルダ内へ挿入されることが可能である。ライセンスプレートがホルダベース上の与えられた位置に到達すると、ラッチ要素はその初期位置に跳ね返り、例えばライセンスプレートの端縁とラッチ係合し、これによりライセンスプレートは、挿入方向における移動に対抗して、ラッチ要素を利用してホルダベース上に固定される。
【００２５】
したがって、ライセンスプレートは、ライセンスプレートが変形されることなく、ラッチ要素を押しのけることによりプレートホルダ上に容易に載置されることが可能である。ライセンスプレートがプレートホルダ上の与えられた位置に到達した場合、ラッチ要素は跳ね上がってライセンスプレートとラッチ係合し、したがってライセンスプレートをプレートホルダ上に恒久的に固定するので、ライセンスプレートのプレートホルダ上への信頼性の高い保持が提供される。
【００２６】
ライセンスプレートをプレートホルダから解放するために、少なくとも１つのラッチ要素が変形されて、これによりライセンスプレートは挿入方向における移動のために解放され、したがってプレートホルダからスライドして外されることが可能である。ラッチ要素の弾性変形は工具を使用することなく実行可能であり、例えば使用者が手動でラッチ要素を把持し、それを押してライセンスプレートとの係合を解除することが可能である。したがって、ライセンスプレートの変形は、プレートホルダからの解放のために必要ではなく、したがって容易に変形不可能な硬いライセンスプレートであっても、プレートホルダ上に容易に配置可能であり、且つプレートホルダから再び容易に開放可能でもある。
【００２７】
有利な実施形態においては、プレートホルダは、挿入方向において互いからオフセットされるようにホルダベースに配置された、２つのラッチ要素を備えている。プレートホルダに配置された位置において、ラッチ要素はそれらの間にライセンスプレートを受け入れ、例えば第１ラッチ要素が、ガイドレールに対して横向きに延びた、ライセンスプレートの第１端縁と接触して静止し、第２ラッチ要素が、ガイドレールに対して横向きに延びた、ライセンスプレートの第２端縁と接触して静止する。したがって、ライセンスプレートは、挿入方向においてホルダベース上に相互ロックして固定される。
【００２８】
少なくとも１つのラッチ要素は、特別な実施形態においては、接触面に連結された弾性ウェブにより形成されている。例えば、ウェブはスロット形状の開口部を通じて接触面から切り出され、これにより接触面に対して弾性的に移動するラッチ舌片の形式のラッチ要素が形成される。ラッチ突起は、接触面から上方に隆起し、したがってライセンスプレートのための停止部を提供しており、好適に少なくとも１つのラッチ要素に配置されている。ライセンスプレートをプレートホルダ上に載置した場合、ライセンスプレートはラッチ要素のラッチ突起上へと移動し、したがってラッチ要素を押しのける。ライセンスプレートがプレートホルダ上の与えられた位置に到達した場合、ラッチ突起は、例えばライセンスプレートの端縁とスナップ係合し、これによりその端縁はラッチ突起と接触して、したがってライセンスプレートは、挿入方向における変位に対抗してプレートホルダ上に固定される。
【００２９】
ラッチ突起を用いて、ライセンスプレートはラッチ方式によりプレートホルダ上に固定され、これによりライセンスプレートは、ガイドレールの間の一からスライドして外れることが防止されている。加えて、少なくとも１つのラッチ要素は、接触面から突出した隆起部を備えてもよく、隆起部は、ライセンスプレートの位置において接触面に向いたライセンスプレートの下側と接触するように設計されてもよい。例えば、隆起部はレンズ上に丸められてもよく、これによりライセンスプレートは、プレートホルダへの挿入の際に、容易に隆起部を越えて移動することが可能である。ライセンスプレートがプレートホルダ上に載置された場合、隆起部はライセンスプレートに対して下から押圧し、したがってライセンスプレートを接触面に対して垂直に押圧してガイドレールと接触させ、これによりライセンスプレートは、隙間およびがたつきなくガイドレールに保持される。
【００３０】
さらに、ライセンスプレートをホルダベース上に固定するための固定部位は、少なくとも１つのラッチ要素に配置されている。固定部位は、例えばリベットまたはネジ接合部を取り付けるように設計されており、これによりライセンスプレートがプレートホルダ上に載置された場合、ライセンスプレートは、少なくとも１つのラッチ要素により提供されたラッチ接続部を越えてかつその上に、固定部位を用いてプレートホルダ上に追加的に固定され得る。
【００３１】
接触面上のラッチ要素にアクセスするために、有利な実施形態においては、少なくとも１つの開口部が載置面に設けられ、この開口部を利用してラッチ要素、特にラッチ要素に設けられた固定部位がアクセス可能とされている。
【００３２】
無線周波数応答装置を具備したライセンスプレートは、プレートホルダ上に有利に配置され得る。接触面と載置面との間の距離が適切に選択されているので、ライセンスプレートは、例えば金属対象物から十分な距離だけ離間して配置されることが可能であり、これによりライセンスプレートの無線周波数応答装置の通信特性は、金属対象物により（過度に）損なわれない。ライセンスプレートのタイプおよびデザインに依存して、多様なプレートホルダがここに使用されてもよく、各場合において接触面と載置面との間の適切な距離を提供する。
【００３３】
本発明の基となる概念は、図示された実施形態を参照して以下により詳細に記載される。
【図面の簡単な説明】
【００３４】
【図１】プレートホルダの実施形態を示した斜視図である。
【図２】プレートホルダおよびプレートホルダ上に配置されたライセンスプレートを示した斜視図である。
【図３】プレートホルダを下から示した斜視図である。
【図４Ａ】対象物上のプレートホルダを示した図である。
【図４Ｂ】図４Ａの線Ａ−Ａに沿った断面を示した図である。
【図５】プレートホルダの第２実施形態およびこのプレートホルダ上に配置されたライセンスプレートを示した斜視図である。
【図６】図５のプレートホルダを斜め下から示した斜視図である。
【図７Ａ】切断面が示された、図１によるプレートホルダを示した図である。
【図７Ｂ】図７Ａの第１切断面Ｑ１に沿った概略的な断面を示した図である。
【図７Ｃ】図７Ａの第２切断面Ｑ２に沿った概略的な断面を示した図である。
【発明を実施するための形態】
【００３５】
図１〜図４Ａ、図４Ｂは、ライセンスプレート２を保持するために使用され且つライセンスプレート２を対象物３に固定するためのプレートホルダ１の第１実施形態を示している。プレートホルダ１は、例えば設備の金属筐体、例えばスイッチキャビネットまたは同様のものといった対象物３の平坦面に固定されるように特に設計されている。
【００３６】
プレートホルダ１は、第１側に接触面１００を形成したホルダベース１０を備えている。ライセンスプレート２は接触面１００上に配置されることが可能であり、ライセンスプレート２は、接触面１００の側方に配置されたガイドレール１１、１２の間を挿入方向Ｅにスライドさせられる。
【００３７】
接触面１００は、挿入方向Ｅおよび横方向Ｑにより定義された接触レベルＡ内に広がっている。挿入方向Ｅに対して横向き且つ横方向Ｑに対して横向きの垂直方向Ｚに、接触面１００から離間されて、載置面１０２がホルダベース１０の第２側に形成されており、この載置面を用いて、ホルダベース１０は平坦な様式の対象物３に配置されることが可能である。
【００３８】
固定部位１０３を利用して、ホルダベース１０は例えばネジ留めまたはリベット留め可能であり、この固定部位は載置面１０２に設けられている。
【００３９】
代替的に、ホルダベース１０は、載置面１０２を対象物３に接着することにより、対象物３に固定可能である。
【００４０】
プレートホルダ１は、載置面１０２が形成された第２側から、接触面１００が形成された第１側へとテーパ形状を有する。ホルダベース１０は、第２側に略長方形のベース面を備え、その寸法は、特に挿入方向Ｅにおいて測定された長さＬおよび横方向Ｑにおいて測定された幅Ｂが、ホルダベース１０の第１側の寸法よりも大きくなっている。
【００４１】
ホルダベース１０は、側面１０４乃至１０７により、第１側と第２側との間に展開したその外周面により閉じられている。各側面は垂直方向Ｚに対して傾斜して広がっており、例えばその角度は垂直方向Ｚに対して２０°〜７０°の間、例えば３０°〜６０°の間である。
【００４２】
傾斜して配置された側面１０４乃至１０７のために、ホルダベース１０は、図７Ａ乃至図７Ｃに示されたように、台形の断面を有する。したがって、ホルダベース１０は、挿入方向Ｅおよび垂直方向Ｚにより定義された第１断面Ｑ１、ならびに垂直方向Ｚおよび横方向Ｑにより定義された第２断面Ｑ２の両方において、台形となっている。ホルダベース１０は等脚台形を形成しており、接触面１００および載置面１０２は互いに平行に配置されたベース側であり、対向側面１０４および１０６ならびに１０５および１０７は、それぞれ台形の等脚側である。
【００４３】
接触面１００が、ホルダベース１０の高さｈに対応するように（図４Ｂ参照）、垂直方向Ｚにおいて載置面１０２から離間されているために、無線周波数応答装置２６を備えたライセンスプレート２は、プレートホルダ１上に有利に配置されることが可能である。ライセンスプレート２が、例えば金属対象物３から離れるように保持されるために、無線周波数応答装置の通信特性は金属対象物３の近傍により機能が損なわれることが無く、したがって適切な読取装置を用いて、例えばデータは、例えば所謂ＲＦＩＤタグのような無線周波数応答装置から読み出されることが可能である。
【００４４】
それに加えて、プレートホルダ１のホルダベース１０は、接触面１００に向かってテーパ形状を有するので、人がプレートホルダ１に衝突する危険性またはプレートホルダ１に衣服が引っ掛かる危険性を小さくしている。このことは、一方ではホルダベース１０のテーパ形状により達成され、他方では側面１０４乃至１０７を用いて閉じられた外周面により達成されている。
【００４５】
各ガイドレール１１、１２は、接触面１００から離れた端縁にガイドストリップ１１０、１２０を備え、ライセンスプレート２の相互ロック係合を形成している。ライセンスプレート２は、挿入方向Ｅにおいてガイドレール１１および１２の間に挿入されることが可能であり、ライセンスプレート２がプレートホルダ１上に配置される位置において、ライセンスプレート２はガイドレール１１および１２の間に静止し、ガイドストリップ１１０、１２０を用いて接触面１００に対して垂直にプレートホルダ１上に保持されるようになっている（図２参照）。
【００４６】
スロット形状開口部１０１を通じて接触面１００からラッチ舌片の形式に切り出された２つのラッチ要素１３、１４は、接触面１００上に配置されている。各ラッチ要素１３、１４は、ウェブ１３０、１４０により接触面１００に接続されており、挿入方向Ｅに舌片の形式で延びている。それらのウェブ１３０、１４０を用いて、ラッチ要素１３、１４は接触面１００に対して垂直方向に弾性とされている。
【００４７】
各ラッチ要素１３、１４はラッチ突起１３１、１４１を備えている。ラッチ突起１３１、１４１は、プレートホルダ１上に配置された位置において突起の間にライセンスプレート２を受け入れ、そのときライセンスプレート２は、挿入方向Ｅにおける移動に対抗してプレートホルダ１上に固定されている（図２参照）。各ラッチ突起１３１、１４１は、ガイドレール１１、１２に対して横向に延びた、ライセンスプレート２の端縁２３、２４と接触し、これによりライセンスプレート２はラッチ突起１３１および１４１の間に相互ロックして保持される。
【００４８】
ラッチ突起１３１、１４１に加えて、リベット接合による取付けが可能な固定部位１３２、１４２が、各ラッチ要素１３、１４に設けられている。ライセンスプレート２のホルダベース１０への追加の固定は、このタイプのリベット接合を用いて実行されることが可能である。
【００４９】
それに加えて、図１に概略的に記載されたように、接触面１００により形成された接触レベルＡから突出した隆起部１３３、１４３が、各ラッチ要素１３、１４に設けられている。ライセンスプレート２がプレートホルダ１上に載置された場合、ラッチ要素１３、１４の隆起部１３３、１４３はライセンスプレート２の下側部２５の下から接触し、これによりライセンスプレート２は、隆起部１３３、１４３を用いて、ガイドレール１１、１２のガイドストリップ１１０、１２０に対抗して垂直に押圧され、したがってライセンスプレート２には予備荷重が加えられ、ガイドストリップはライセンスプレート２を間隙およびがたつき無くプレートホルダ１上に固定する。
【００５０】
載置に関して、ライセンスプレート２はプレートホルダ１上に載置され、ガイドレール１１および１２の間にその側端縁２１、２２を用いて挿入方向Ｅに一側からスライドされる。したがって、ライセンスプレート２の前方側端縁２４は、プレートホルダ１の側部のラッチ要素１３のラッチ突起１３１と接触し、これによりライセンスプレート２はプレートホルダ１内に挿入される。したがって、ライセンスプレート２はラッチ突起１３１上を移動し、ラッチ要素１３を押しのけ、これによりライセンスプレート２は、ガイドレール１１および１２の間を、ラッチ突起１３１を越えて押されることが可能である。
【００５１】
ライセンスプレート２がプレートホルダ１内に完全に挿入された場合、ラッチ要素１３のラッチ突起１３１は、ラッチの様式で後方側端縁２３と接触し、これによりライセンスプレート２の側端縁２３、２４は、ラッチ要素１３および１４のラッチ突起１３１および１４１の間に受け入れられ、加えてライセンスプレートの側端縁２１、２２は、側方ガイドレール１１および１２の間に保持される。
【００５２】
ライセンスプレート２をプレートホルダ１から解放するために、ラッチ要素１３、１４の一方が弾性的に曲げられて、ライセンスプレート２の関連した側端縁２３、２４との係合から解除されることが可能であり、これによりライセンスプレート２はスライドして、対応したラッチ要素１３、１４を越えてガイドレール１１、１２との係合を解除されることが可能である。このことは工具を使用することなく、特にライセンスプレート２を変形することなく実行可能である。
【００５３】
開口部１０８を通じて、載置面１０２上の固定部位１０３へのアクセスが可能であり、この開口部１０８は接触面１００上に設けられている。したがって、プレートホルダ１を対象物３に接合するために、固定部位１０３において例えばネジ接合が、接触面１００の側から実行されることが可能である。
【００５４】
開口部１０９はラッチ要素１３、１４と関係付けられており、この開口部１０９もホルダベース１０の第２側に設けられている。ラッチ要素１３、１４への、とりわけそこに配置された固定部位１３２、１４２へのアクセスは、開口部１０９を通じて載置面１０２の側から実行されることが可能である。
【００５５】
プレートホルダ１の第２実施形態は、図５および図６に示されている。図５および図６によるプレートホルダ１は、図１〜図４Ａ、図４Ｂによる実施形態と概略同様の機能を備えているが、より低い高さを有し、したがって接触面１００と載置面１０２との間の距離がより小さくなっている。
【００５６】
前述の実施形態のホルダベース１０は、有利に成型プラスチック材料部品として製造されており、それは例えばプラスチック材料の射出成型を利用している。
【００５７】
本発明の思想は、限定されるものではないが前述の実施形態に基づいている。しかしながら、原理的に完全に異なった方法においても実現され得る。
【００５８】
例えば、ホルダベースのベース面は円形であってもよく、これによりホルダベースは円錐台または接触面に対して円錐のテーパとなるように設計され得る。
【符号の説明】
【００５９】
１  ・・・プレートホルダ
１０  ・・・ホルダベース
１００  ・・・接触面
１０１  ・・・スロット
１０２  ・・・載置面
１０３  ・・・固定部位
１０４〜１０７  ・・・側面
１０８  ・・・開口部
１０９  ・・・開口部
１１、１２  ・・・ガイドレール
１１０、１２０  ・・・ガイドストリップ
１３、１４  ・・・ラッチ要素
１３０、１４０  ・・・ウェブ
１３１、１４１  ・・・ラッチ突起
１３２、１４２  ・・・固定部位
１３３、１４３  ・・・隆起部
２  ・・・ライセンスプレート
２１〜２４  ・・・端縁
２５  ・・・下側部
２６  ・・・応答装置
３  ・・・対象物
Ａ  ・・・接触レベル
Ｂ  ・・・幅
Ｅ  ・・・挿入方向
ｈ  ・・・高さ
Ｌ  ・・・長さ
Ｑ  ・・・横方向
Ｑ１、Ｑ２  ・・・断面
Ｚ  ・・・垂直方向
【図１】
2018512320.tif 000003
【図２】
2018512320.tif 000004
【図３】
2018512320.tif 000005
【図４Ａ】
2018512320.tif 000006
【図４Ｂ】
2018512320.tif 000007
【図５】
2018512320.tif 000008
【図６】
2018512320.tif 000009
【図７Ａ】
2018512320.tif 000010
【図７Ｂ】
2018512320.tif 000011
【図７Ｃ】
2018512320.tif 000012
【国際調査報告】
2018512320.tif 000013
2018512320.tif 000014
2018512320.tif 000015
2018512320.tif 000016
2018512320.tif 000017
2018512320.tif 000018